(57)【要約】【課題】犯人に渡された可能性のある紙幣の情報を提示する。【解決手段】情報処理装置２０は、記憶部２２と、表示部２３と、制御部２１とを備える。記憶部２２は、金融取引についての取引情報を記憶する。制御部２１は、検索条件を受け付け、取引情報から検索条件を満たす情報を抽出し、抽出した情報に含まれる紙幣を識別する記番号ごとに評価を付与した検索結果を生成し、検索結果を表示部２３に表示する。【選択図】図１
2019101905.tif 000002
【特許請求の範囲】
【請求項１】
金融取引についての取引情報を記憶する記憶部と、
検索条件を受け付け、前記取引情報から前記検索条件を満たす情報を抽出し、前記抽出した情報に含まれる紙幣を識別する記番号ごとに評価を付与した検索結果を生成し、前記検索結果を表示部に表示する制御部とを備える、
情報処理装置。
【請求項２】
前記取引情報は、口座番号、取引日、取引種別、取引金額および記番号を含む、
請求項１記載の情報処理装置。
【請求項３】
前記制御部は、
前記検索条件として口座番号および金額を受け付け、
前記取引情報から、前記検索条件として受け付けた前記口座番号における取引種別が出金取引である情報について、前記出金取引の取引金額の合計金額が前記検索条件として入力された前記金額に達するまで前記検索条件を受け付けた日から取引日の順に過去に遡って情報を抽出する、
請求項２記載の情報処理装置。
【請求項４】
前記制御部は、
前記検索条件として口座番号、金額および記番号を受け付け、
前記取引情報から、前記検索条件として受け付けた前記口座番号における取引種別が出金取引である情報について、前記出金取引の取引金額の合計金額が前記検索条件として入力された前記金額に達するまで前記検索条件を受け付けた日から取引日の順に過去に遡って情報を抽出し、
前記抽出した情報に含まれる記番号ごとに前記出金取引を行った取引日に応じた評価を付与する、
請求項２記載の情報処理装置。
【請求項５】
前記制御部は、
前記抽出した情報に含まれる取引日について、前記検索条件を受け付けた日から前記記番号が付与された紙幣が出金取引された日までの期間である第１の抽出情報と、前記検索条件として受け付けた前記記番号が付与された紙幣が出金取引された日と同日である第２の抽出情報と、前記記番号が付与された紙幣が出金取引された日よりも過去の日付である第３の抽出情報とをそれぞれ異なる評価とする、
請求項４記載の情報処理装置。
【請求項６】
金融取引についての取引情報を記憶部に記憶し、
検索条件を受け付け、前記取引情報から前記検索条件を満たす情報を抽出し、前記抽出した情報に含まれる紙幣を識別する記番号ごとに評価を付与した検索結果を生成し、前記検索結果を表示部に表示する、
紙幣情報表示方法。
【請求項７】
金融取引についての取引情報を記憶部に記憶し、
検索条件を受け付け、前記取引情報から前記検索条件を満たす情報を抽出し、前記抽出した情報に含まれる紙幣を識別する記番号ごとに評価を付与した検索結果を生成し、前記検索結果を表示部に表示する、
処理を情報処理装置に実行させる紙幣情報表示プログラム。
【請求項８】
自動取引装置と情報処理装置とを含む情報処理システムであって、
前記自動取引装置は、
紙幣を識別する記番号を読み取る紙幣読取部と、
顧客から指示された金融取引を実行し、前記金融取引の際に入出金される紙幣の記番号を前記紙幣読取部を介して読み取り、前記金融取引について入出金された紙幣の記番号を含む取引情報を生成し、前記取引情報を前記情報処理装置に送信する制御部とを備え、
前記情報処理装置は、
前記取引情報を記憶する記憶部と、
検索条件を受け付け、前記取引情報から前記検索条件を満たす情報を抽出し、前記抽出した情報に含まれる記番号ごとに評価を付与した検索結果を生成し、前記検索結果を表示部に表示する制御部とを備える、
情報処理システム。
【発明の詳細な説明】
【技術分野】
【０００１】
本発明は、情報処理装置、紙幣情報表示方法、紙幣情報表示プログラムおよび情報処理システムに関する。
【背景技術】
【０００２】
金融取引を行う取引装置として、金融機関等で用いられる現金自動預払機（ＡＴＭ；Automated Teller Machine、以下ＡＴＭと記載する）が知られている。顧客は、ＡＴＭを用いて現金の入出金や振込等を行う。
【０００３】
近年、家族や銀行員等になりすまし虚偽の事実に基づいて現金を騙し取る、いわゆる振り込め詐欺が発生している。振り込め詐欺の手法として、ＡＴＭから犯人の口座へ振込を実行させる方法が主流であったが、現金の手渡しや郵送等により現金を受け渡しする方法での振り込め詐欺が増加している。
【０００４】
このような、現金を受け渡しする方法を用いた詐欺行為を未然にするため、ＡＴＭから紙幣を出金する場合に注意喚起情報が印刷された紙媒体で現金を挟み、その紙媒体に紙幣の識別番号を印刷する技術が知られている。
【先行技術文献】
【特許文献】
【０００５】
【特許文献１】特開２０１６−４５８６２号公報
【発明の概要】
【発明が解決しようとする課題】
【０００６】
しかしながら、従来技術は、ＡＴＭから現金を出金する場合における注意喚起を行うものであり、振り込め詐欺における犯人に渡された可能性のある紙幣を調査することについて考慮されていなかった。このため、紙幣が犯人に渡ってしまった後では捜査の手がかりが少なく、犯人を特定することが困難な状況になっている。
【０００７】
このような状況に対処するために、犯人に渡された可能性のある紙幣の情報を提示する技術が望まれている。
一側面では、本発明は、犯人に渡された可能性のある紙幣の情報を提示することができる情報処理装置、紙幣情報表示方法、紙幣情報表示プログラムおよび情報処理システムを提供することを目的とする。
【課題を解決するための手段】
【０００８】
上記目的を達成するために、以下に示すような情報処理装置を提供する。情報処理装置は、記憶部と、表示部と、制御部とを備える。記憶部は、金融取引についての取引情報を記憶する。制御部は、検索条件を受け付け、取引情報から検索条件を満たす情報を抽出し、抽出した情報に含まれる紙幣を識別する記番号ごとに評価を付与した検索結果を生成し、検索結果を表示部に表示する。
【発明の効果】
【０００９】
一態様によれば、犯人に渡された可能性のある紙幣の情報を提示することができる。
【図面の簡単な説明】
【００１０】
【図１】第１の実施形態の情報処理システムの一例を示す図である。
【図２】第２の実施形態の情報処理システムの一例を示す図である。
【図３】第２の実施形態のホストのハードウェア構成の一例を示す図である。
【図４】第２の実施形態のＡＴＭのハードウェア構成の一例を示す図である。
【図５】第２の実施形態の取引履歴情報の一例を示す図である。
【図６】第２の実施形態の検索画面の一例を示す図である。
【図７】第２の実施形態の結果表示画面の一例を示す図である（その１）。
【図８】第２の実施形態の結果表示画面の一例を示す図である（その２）。
【図９】第２の実施形態の結果表示画面の一例を示す図である（その３）。
【図１０】第２の実施形態の結果表示画面の一例を示す図である（その４）。
【図１１】第２の実施形態の履歴情報収集処理のフローチャートを示す図である。
【図１２】第２の実施形態の検索処理のフローチャートを示す図である。
【図１３】第２の実施形態の基準日検索処理のフローチャートを示す図である。
【図１４】第２の実施形態の記番号検索処理のフローチャートを示す図である（その１）。
【図１５】第２の実施形態の記番号検索処理のフローチャートを示す図である（その２）。
【発明を実施するための形態】
【００１１】
以下、図面を参照して実施の形態を詳細に説明する。
［第１の実施形態］
まず、第１の実施形態の情報処理システムについて図１を用いて説明する。図１は、第１の実施形態の情報処理システムの一例を示す図である。
【００１２】
情報処理システム５０は、自動取引装置１０、情報処理装置２０を含む。自動取引装置１０と情報処理装置２０とは、情報通信が可能でありネットワークを介してアクセス可能に接続されている。ネットワークは、有線ネットワークであってもよいし無線ネットワークであってもよい。
【００１３】
自動取引装置１０は、金融取引を行う装置であり、たとえば、金融機関等に設置されたＡＴＭである。自動取引装置１０は、制御部１１、媒体処理部１２、表示受付部１３、記憶部１４、紙幣読取部１５等を備える。
【００１４】
制御部１１は、自動取引装置１０全体を制御するものであり、たとえば、プロセッサ等である。制御部１１は、媒体処理部１２で受け付けたカード等の媒体や表示受付部１３で受け付けた顧客の操作に基づいて、自動取引装置１０を制御することができる。制御部１１は、金融取引の実行を要求する要求電文を情報処理装置２０に送信し、情報処理装置２０から要求電文に対応する応答電文を受信する。また、制御部１１は、金融取引の際に入出金される紙幣の記番号について紙幣読取部１５を介して読み取る。制御部１１は、金融取引について入出金された紙幣の記番号を含む取引情報を生成し、取引情報を情報処理装置２０に送信する。制御部１１は、金融取引の要求や、取引情報の生成および送信等を行うプログラムを実行できる。取引情報は、口座番号、取引日、取引種別（出金取引、入金取引、振替取引等）、取引金額および記番号を含む情報である。
【００１５】
媒体処理部１２は、自動取引装置１０を利用する顧客から媒体（カード、通帳等）を受け付け、媒体に記録された情報を読み取る。カードは、キャッシュカードやクレジットカード等である。媒体に記録された情報とは、金融機関や支店を識別する情報や、顧客の口座番号等である。
【００１６】
表示受付部１３は、各種の情報を表示し、顧客から入力された指示を受け付けるものである。表示受付部１３は、たとえば、自動取引装置１０の外面に設けられた、ディスプレイおよびタッチパネルである。
【００１７】
記憶部１４は、自動取引装置１０に備えられるＨＤＤ（Hard Disk Drive）や各種メモリ等である。
紙幣読取部１５は、自動取引装置１０において金融取引を実行する際に入出金される紙幣の受け付け、紙幣に付与された記番号を読み取り、読み取った記番号を制御部１１に出力する。記番号とは、紙幣を識別する情報であり、たとえば、文字や数字等を組み合わせたものである。
【００１８】
情報処理装置２０は、自動取引装置１０から要求された処理を実行する機能を備えたコンピュータである。情報処理装置２０は、制御部２１、記憶部２２、表示部２３を備える。なお、情報処理装置２０は、システム管理者が操作するための入出力部等も備えるが図示を省略する。
【００１９】
制御部２１は、情報処理装置２０全体を制御するものであり、たとえば、プロセッサ等である。制御部２１は、自動取引装置１０と情報通信を行う。また、制御部２１は、記憶部２２に対し情報の記憶および読み出しが可能である。制御部２１は、自動取引装置１０から金融取引の実行を要求する電文を受信し、要求に応じた処理を実行する。
【００２０】
制御部２１は、自動取引装置１０から金融取引についての取引情報を受信し、記憶部２２に記憶する。制御部２１は、情報処理装置２０を操作する係員から検索条件を受け付け、取引情報から検索条件を満たす情報を抽出する。また、制御部２１は、抽出した情報に含まれる記番号ごとに評価を付与した検索結果を生成し、検索結果を表示部２３に表示する。
【００２１】
記憶部２２は、情報処理装置２０に備えられるＨＤＤや各種メモリ等である。表示部２３は、情報を表示する装置であり、たとえば、ディスプレイである。
ここで、情報処理システム５０の処理について説明する。振り込め詐欺等により紙幣を騙し取られる被害が発生し、係員は、被害者の手元に残存する紙幣に付与された記番号「ＡＢＣ４５６７８９Ｄ」に基づき、情報処理システム５０を用いて調査を行うものとする。なお、情報処理装置２０は、自動取引装置１０から取引情報を受信し、受信した取引情報を予め記憶部２２に蓄積しているものとする。
【００２２】
係員は、情報処理装置２０を操作し、表示部２３に表示された検索画面３１から検索条件を入力する。検索条件の項目には、口座番号、金額、紙幣種別（万円券、五千円件、千円券）、記番号の項目があるが、これらは一例であり、紙幣種別および記番号は必須の入力項目ではない。情報処理装置２０は、検索条件として、口座番号に「１２３４５６」、金額に「３００００」、紙幣種別に「万円券」、記番号に「ＡＢＣ４５６７８９Ｄ」を受け付けたものとする。なお、検索条件の項目のうち、金額に被害額の金額（３万円）を入力し、紙幣種別には犯人に渡した紙幣の種別を入力するものとする。また、係員は、被害者が犯人に渡したとされる紙幣を出金した口座の口座番号を入力するものとする。また、係員が検索を実行した検索日は「２０１７年１１月１１日」であるものとする。
【００２３】
制御部２１は、記憶部２２に記憶された取引情報から、口座番号「１２３４５６」における取引種別が出金取引である情報を抽出する。さらに、制御部２１は、出金取引の取引金額の合計金額が検索条件として入力された金額「３００００」円に達するまで、検索条件を受け付けた日「２０１７年１１月１１日」から取引日の順に過去に遡って情報を抽出する。制御部２１は、抽出した情報に含まれる記番号ごとに出金取引を行った取引日に応じた評価を付与する。
【００２４】
評価を付与する方法として、たとえば、制御部２１は、抽出した情報に含まれる取引日について、検索条件を受け付けた日「２０１７年１１月１１日」から記番号「ＡＢＣ４５６７８９Ｄ」が付与された紙幣が出金取引された日「２０１７年１０月３０日」までの期間である第１の抽出情報とする。また、制御部２１は、検索条件として受け付けた記番号「ＡＢＣ４５６７８９Ｄ」が付与された紙幣が出金取引された日と同日である第２の抽出情報とする。制御部２１は、記番号「ＡＢＣ４５６７８９Ｄ」が付与された紙幣が出金取引された日よりも過去の日付である第３の抽出情報とする。制御部２１は、第１の抽出情報と、第２の抽出情報と、第３の抽出情報とをそれぞれ異なる評価とする。たとえば、制御部２１は、第１の抽出情報に評価「中」を付与し、第２の抽出情報に評価「高」を付与し、第３の抽出情報に評価「低」を付与する。なお、取引日に基づいて、犯人に渡した可能性が高い順に評価を「高」「中」「低」と付与したが、これは犯人に渡した可能性の高い紙幣を評価した一例に過ぎず、その他の評価を行ってもよい。
【００２５】
制御部２１は、抽出した情報に対し記番号ごとに評価を付与した検索結果を生成し、検索結果を表示部２３に表示する。制御部２１が検索結果を表示した画面の一例が結果表示画面３２である。
【００２６】
こうして、情報処理システム５０および情報処理装置２０を用いることにより、係員は、被害者が犯人に渡してしまった紙幣の記番号を推測するための情報を得られる。また、情報処理システム５０および情報処理装置２０は、紙幣を識別する記番号に抽出情報を分析することによって得られた評価を付与して提示する。このため、係員は、被害者が犯人に渡した可能性の高い紙幣から順に捜査を行うことも可能である。
【００２７】
このように、情報処理システム５０および情報処理装置２０は、犯人に渡された可能性のある紙幣の情報を提示することができる。
［第２の実施形態］
次に、第２の実施形態として、自動取引装置１０をＡＴＭに適用し、情報処理装置２０をホストに適用した情報処理システムについて図２を用いて説明する。図２は、第２の実施形態の情報処理システムの一例を示す図である。
【００２８】
金融機関等における情報処理システム２００は、１台以上のＡＴＭ１００（図２ではその内の１台を図示）を備える。ＡＴＭ１００は、ネットワーク２１０を介してホスト３００と接続している。
【００２９】
ＡＴＭ１００は、顧客操作部１２０と、カード／レシート部１３０と、通帳処理部１４０と、硬貨処理部１５０と、紙幣処理部１６０と、テンキー入力部１７０とを有する。
顧客操作部１２０は、ディスプレイとタッチパネルを有し、取引操作の案内と、指示の受け付けとを行う。
【００３０】
カード／レシート部１３０は、キャッシュカードやクレジットカード等のカードを用いる取引において、カードの挿入と排出とを行う。また、カード／レシート部１３０は、取引終了時におけるレシートの排出をする。
【００３１】
通帳処理部１４０は、通帳の受け付けの際に通帳の挿入と排出とを行い、必要に応じて通帳の印字をする。硬貨処理部１５０は、入金および出金取引の際に、硬貨の受け渡しを処理する。紙幣処理部１６０は、入金および出金取引の際に、紙幣の受け渡しを処理する。
【００３２】
テンキー入力部１７０は、数字等を入力するボタンを備え、顧客操作部１２０のタッチパネルと協働して顧客の指示を受け付ける。たとえば、テンキー入力部１７０は、キャッシュカード等を認証するための暗証番号や、金融取引内容の選択や、金融取引の金額等の入力を受け付けることができる。
【００３３】
ホスト３００は、ＡＴＭ１００と情報の送受信を行い、勘定系の業務やＡＴＭ１００を用いる顧客の認証処理や、ＡＴＭ１００を管理する機能を備えるプログラムが実行されるコンピュータである。また、ホスト３００は、ＡＴＭ１００から取引履歴情報を受信し、データベース３２０に記憶する。データベース３２０は、各種情報を記憶する記憶装置である。
【００３４】
ここで、顧客がＡＴＭ１００で出金操作を行う際の動作について説明する。ここで、顧客は、カードをカード／レシート部１３０に挿入し、出金取引を行うものとする。ＡＴＭ１００は、挿入されたカードから情報（口座番号等）を読み取る。ＡＴＭ１００は、カードから読み取った情報をホスト３００に送信し、ホスト３００からの指示に従い顧客操作部１２０に操作画面を表示する。顧客は、顧客操作部１２０に表示される指示に従い、顧客操作部１２０等を操作して、指示の入力や暗証番号の入力や出金金額の入力を行う。ＡＴＭ１００は、ホスト３００に、口座番号、暗証番号、出金金額等を送信する。ホスト３００は、暗証番号の認証処理や、口座番号に対応する口座残高からの出金処理も行い、ＡＴＭ１００に出金許可を応答する。ＡＴＭ１００は、ホスト３００から出金許可の応答を受信し、出金金額で指定された現金を硬貨処理部１５０や紙幣処理部１６０から排出し、カードをカード／レシート部１３０から排出する。顧客は、顧客操作部１２０の表示を確認し、排出された現金およびカードを受け取り、出金取引を終了する。ＡＴＭ１００は、顧客がＡＴＭ１００を用いて金融取引をした履歴である取引履歴情報をホスト３００に送信する。ホスト３００は、ＡＴＭ１００から受信した取引履歴情報をデータベース３２０に記憶する。
【００３５】
次に、第２の実施形態のホストのハードウェア構成について図３を用いて説明する。図３は、第２の実施形態のホストのハードウェア構成の一例を示す図である。
ホスト３００は、制御部３１０を含む。制御部３１０は、プロセッサ３１１、ＲＡＭ（Random Access Memory）３１２、ＨＤＤ３１３、画像信号処理部３１４、入力信号処理部３１５、媒体リーダ３１６、通信インタフェース３１７を含む。ホスト３００は、プロセッサ３１１によって装置全体が制御されている。プロセッサ３１１には、バス３１８を介してＲＡＭ３１２と複数の周辺機器が接続されている。プロセッサ３１１は、マルチプロセッサであってもよい。プロセッサ３１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ３１１は、ＣＰＵ、ＭＰＵ、ＤＳＰ、ＡＳＩＣ、ＰＬＤのうちの２以上の要素の組み合わせであってもよい。
【００３６】
ＲＡＭ３１２は、ホスト３００の主記憶装置として使用される。ＲＡＭ３１２には、プロセッサ３１１に実行させるＯＳ（Operating System）のプログラムやアプリケーションプログラムの少なくとも一部が一時的に記憶される。また、ＲＡＭ３１２には、プロセッサ３１１による処理に必要な各種データが記憶される。
【００３７】
バス３１８に接続されている周辺機器としては、ＨＤＤ３１３、画像信号処理部３１４、入力信号処理部３１５、媒体リーダ３１６および通信インタフェース３１７がある。
ＨＤＤ３１３は、内蔵したディスクに対して、磁気的にデータの書き込みおよび読み出しを行う。ＨＤＤ３１３は、ホスト３００の補助記憶装置として使用される。ＨＤＤ３１３には、ＯＳのプログラム、アプリケーションプログラム、および各種データが記憶される。なお、ＨＤＤ３１３に限らず、ＳＳＤ（Solid State Drive）を使用することもできる。なお、補助記憶装置としては、フラッシュメモリ等の半導体記憶装置を使用することもできる。
【００３８】
画像信号処理部３１４は、プロセッサ３１１からの命令に従って、ホスト３００に接続されたディスプレイ３１４ａに画像を出力する。ディスプレイ３１４ａとしては、ＣＲＴ（Cathode Ray Tube）ディスプレイ、液晶ディスプレイ（ＬＣＤ：Liquid Crystal Display）、プラズマディスプレイ、有機ＥＬ（ＯＥＬ：Organic Electro-Luminescence）ディスプレイ等、任意の種類のディスプレイを用いることができる。
【００３９】
入力信号処理部３１５は、ホスト３００に接続された入力デバイス３１５ａから入力信号を取得し、プロセッサ３１１に出力する。入力デバイス３１５ａとしては、マウス、タッチパネル、タッチパッド、トラックボール、キーボード、リモートコントローラ、ボタンスイッチ等、任意の種類の入力デバイスを用いることができる。また、ホスト３００に、複数の種類の入力デバイスが接続されていてもよい。
【００４０】
媒体リーダ３１６は、記録媒体３１９に記録されたプログラムやデータを読み取る読み取り装置である。記録媒体３１９として、たとえば、磁気ディスク、光ディスク、光磁気ディスク（ＭＯ：Magneto-Optical disk）、半導体メモリ等を使用できる。磁気ディスクには、フレキシブルディスク（ＦＤ：Flexible Disk）やＨＤＤが含まれる。光ディスクには、ＣＤ（Compact Disc）やＤＶＤ（Digital Versatile Disc）が含まれる。
【００４１】
媒体リーダ３１６は、たとえば、記録媒体３１９から読み取ったプログラムやデータを、ＲＡＭ３１２やＨＤＤ３１３等の他の記録媒体にコピーする。読み取られたプログラムは、たとえば、プロセッサ３１１によって実行される。なお、記録媒体３１９は可搬型記録媒体であってもよく、プログラムやデータの配布に用いられることがある。また、記録媒体３１９やＨＤＤ３１３を、コンピュータ読み取り可能な記録媒体と言うことがある。
【００４２】
通信インタフェース３１７は、データベース３２０とネットワーク２１０に接続されている。通信インタフェース３１７は、他のコンピュータ、記憶装置、または通信機器との間でデータの送受信を行う。データベース３２０は、各種の情報を記憶するとともに検索や抽出等により情報を利用できるようにしたものであり、ストレージシステム等を用いてもよい。
【００４３】
以上のようなハードウェア構成によって、第２の実施形態のホスト３００の処理機能を実現することができる。なお、第１の実施形態の情報処理装置２０も、図３に示したホスト３００のハードウェア構成で実現できる。
【００４４】
なお、上記の構成は一例であり、構成部の組み合わせは適宜決定できる。たとえば、上記構成のうち必要のないものを削除するとしてもよい。
ホスト３００は、たとえばコンピュータ読み取り可能な記録媒体に記録されたプログラムを実行することにより、第２の実施の形態の処理機能を実現する。ホスト３００に実行させる処理内容を記述したプログラムは、様々な記録媒体に記録しておくことができる。たとえば、ホスト３００に実行させるプログラムをＨＤＤ３１３に記憶しておくことができる。プロセッサ３１１は、ＨＤＤ３１３内のプログラムの少なくとも一部をＲＡＭ３１２にロードし、プログラムを実行する。また、ホスト３００に実行させるプログラムを、光ディスク、メモリ装置、メモリカード等の可搬型記録媒体に記録しておくこともできる。可搬型記録媒体に記憶されたプログラムは、たとえばプロセッサ３１１からの制御により、ＨＤＤ３１３にインストールされた後、実行可能となる。またプロセッサ３１１が、可搬型記録媒体から直接プログラムを読み出して実行することもできる。
【００４５】
次に、第２の実施形態のＡＴＭについて図４を用いて説明する。図４は、第２の実施形態のＡＴＭのハードウェア構成の一例を示す図である。
ＡＴＭ１００は、制御部１１０と、ディスプレイ１２０ａと、タッチパネル１２０ｂと、カード／レシート処理ユニット１３０ａと、通帳処理ユニット１４０ａと、硬貨処理ユニット１５０ａと、紙幣処理ユニット１６０ａと、テンキー処理ユニット１７０ａと、対人センサ制御ユニット１８０ａとを有する。
【００４６】
制御部１１０は、プロセッサ１１１、ＲＡＭ１１２、第１ＨＤＤ１１３ａ、第２ＨＤＤ１１３ｂ、外部通信インタフェース１１４、表示処理ユニット１１５、タッチパネル処理ユニット１１６およびＩ／Ｏ（Input／Output）制御部１１７を有し、各々がバス１１８を介して接続されている。
【００４７】
プロセッサ１１１は、ＡＴＭ１００の全体動作を制御する。プロセッサ１１１は、たとえばＣＰＵ、ＭＰＵ等である。プロセッサ１１１は、紙幣処理ユニット１６０ａを介して取得した紙幣種別および記番号（紙幣を識別する番号）を含む取引履歴情報を第１ＨＤＤ１１３ａや第２ＨＤＤ１１３ｂ等の記憶部に記憶する。また、プロセッサ１１１は、ホスト３００に取引履歴情報を送信する。
【００４８】
ＲＡＭ１１２には、プロセッサ１１１に実行させるＯＳのプログラムやアプリケーションプログラムの少なくとも一部が一時的に格納される。また、ＲＡＭ１１２には、プロセッサ１１１による処理に必要な各種データが格納される。
【００４９】
第１ＨＤＤ１１３ａおよび第２ＨＤＤ１１３ｂには、ＯＳやアプリケーションプログラムや取引履歴情報等を格納できる。第１ＨＤＤ１１３ａと、第２ＨＤＤ１１３ｂとは、システム保護のために二重化されているが、いずれか一方のみで構成することもできる。また、第１ＨＤＤ１１３ａと第２ＨＤＤ１１３ｂは、ＳＳＤ等他の記憶装置でも代用可能である。
【００５０】
外部通信インタフェース１１４は、外部のネットワーク２１０に接続され、ホスト３００等との間でデータの送受信を行う。また、外部通信インタフェース１１４は、ホスト３００へ暗証番号や取引情報等を送受信できる。
【００５１】
表示処理ユニット１１５には、ディスプレイ１２０ａが接続される。ディスプレイ１２０ａは、タッチパネル１２０ｂとともに顧客操作部１２０を構成する。表示処理ユニット１１５は、プロセッサ１１１の制御の下に、操作案内等の各種情報をディスプレイ１２０ａの画面に表示させる。
【００５２】
タッチパネル処理ユニット１１６には、タッチパネル１２０ｂが接続される。タッチパネル１２０ｂは、ディスプレイ１２０ａの上層に形成される。タッチパネル処理ユニット１１６は、顧客の指がタッチパネル１２０ｂに接触あるいは接近した画面上の位置を検出し、プロセッサ１１１に通知する。
【００５３】
Ｉ／Ｏ制御部１１７には、カード／レシート処理ユニット１３０ａ、通帳処理ユニット１４０ａ、硬貨処理ユニット１５０ａ、紙幣処理ユニット１６０ａ、テンキー処理ユニット１７０ａおよび対人センサ制御ユニット１８０ａが接続される。Ｉ／Ｏ制御部１１７は、プロセッサ１１１の制御の下に、接続する各部にプロセッサ１１１からの指示を通知するとともに、各部から取得した情報をバス１１８経由でプロセッサ１１１に送る。
【００５４】
カード／レシート処理ユニット１３０ａは、カード／レシート部１３０に設けられ、カードの取り込みと排出、およびレシートの排出を制御する。また、カード／レシート処理ユニット１３０ａは、取り込んだカードに付された磁気で記録された情報（口座番号等）を読み込む。また、カード／レシート処理ユニット１３０ａは、印刷等を行う機能も備えており、文字や図形を印刷することが可能である。カード／レシート処理ユニット１３０ａは、カードの排出だけでなく、取引内容を印刷した明細票（レシート）を排出することが可能である。
【００５５】
通帳処理ユニット１４０ａは、通帳処理部１４０に設けられ、通帳の取り込みと排出を制御する。また、通帳処理ユニット１４０ａは、取り込んだ通帳に付された磁気で記録された情報（口座番号等）を読み込む。また、通帳処理ユニット１４０ａは、通帳に印字を行う機能も備えており、通帳の記帳が可能である。
【００５６】
硬貨処理ユニット１５０ａは、硬貨処理部１５０に設けられ、プロセッサ１１１の指示に従って硬貨の入出金と、扉の開閉とを制御する。
紙幣処理ユニット１６０ａは、紙幣処理部１６０に設けられ、プロセッサ１１１の指示に従って紙幣の入出金と、扉の開閉とを制御する。紙幣処理ユニット１６０ａは、紙幣の種別および記番号を読み取る機能を備える。紙幣処理ユニット１６０ａは、入出金の際に出し入れした紙幣の記番号を読み取り、プロセッサ１１１に出力する。
【００５７】
テンキー処理ユニット１７０ａは、テンキー入力部１７０に設けられ、顧客が押下したボタンの情報を出力する。顧客が押下したボタンの情報には、暗証番号、金融取引で用いる情報等を含めてもよい。対人センサ制御ユニット１８０ａは、人の接近を検知する対人センサを制御し、ＡＴＭ１００に顧客が近付いたことを検出する。なお、対人センサについては、図示を省略する。
【００５８】
可搬型記録媒体１９０は、たとえば、ＤＶＤやＣＤ等の記録媒体である。可搬型記録媒体１９０は、取引履歴情報等を格納できる。
以上のようなハードウェア構成によって、本実施の形態の処理機能を実現することができる。なお、上記の構成は一例であり、ＡＴＭ１００の構成部の組み合わせは適宜決定できる。上記構成のうち必要のないものを削除するとしてもよいし、たとえば、手のひら静脈や指静脈を用いた生体認証部や非接触ＩＣに対応する非接触ＩＣ部等を加えることもできる。
【００５９】
次に、第２の実施形態の取引履歴情報の一例について図５を用いて説明する。図５は、第２の実施形態の取引履歴情報の一例を示す図である。
取引履歴管理情報５００は、ＡＴＭ１００における取引の履歴を管理する情報である。取引履歴管理情報５００は、ホスト３００が各ＡＴＭ１００から受信した取引履歴情報を登録した情報である。取引履歴管理情報５００は、ホスト３００からアクセス可能なデータベース３２０やＨＤＤ３１３等の記憶部に記憶される情報である。
【００６０】
取引履歴管理情報５００は、口座番号、取引日時、取引種別、取引金額および紙幣情報の項目を含む。口座番号の項目には、顧客が取引を行う口座を識別する番号が登録される。取引日時の項目には、取引が行われた年月日および時間が登録される。取引種別の項目には、ＡＴＭ１００で行われた取引の種別が登録される。取引種別には、たとえば、出金、入金、振替、預入等がある。取引金額の項目には、取引の金額が登録される。紙幣情報の項目は、紙幣枚数、紙幣種別、記番号の項目を含む。紙幣枚数の項目には、取引された紙幣の枚数が登録される。紙幣種別の項目には、取引された紙幣の種別（万円券、五千円券、千円券）のいずれかが登録される。なお、複数の紙幣が取引された場合、紙幣ごとに紙幣種別が登録される。記番号の項目には、取引した紙幣の記番号が登録される。なお、複数の紙幣が取引された場合、紙幣ごとに記番号が登録される。
【００６１】
たとえば、取引履歴管理情報５００には、口座番号が「１０９０００１」、取引日時が「２０１７／９／１  １０：１０：００」、取引種別が「入金」、取引金額が「１００００」という情報が登録される。また、紙幣情報には、紙幣枚数が「１」、紙幣種別が「万円券」、記番号が「ＲＵ９９９３２１Ｋ」という情報が登録される。
【００６２】
これは、口座番号が「１０９０００１」の口座について、２０１７年９月１日１０時１０分０秒に取引がされ、取引種別が「入金」であり、取引金額が「１万円」であることを示す。また、この取引の紙幣枚数が１枚であり、紙幣種別が１万円札（万円券）であり、取引された１万円札に付与された記番号が「ＲＵ９９９３２１Ｋ」であることを示す。
【００６３】
なお、取引履歴管理情報５００には、取引ごとに取引履歴情報が記録される。また、取引履歴管理情報５００に含まれる情報は一例に過ぎず、取引口座件数、取引件数等の情報を含んでもよい。
【００６４】
次に、第２の実施形態の検索画面の一例について図６を用いて説明する。図６は、第２の実施形態の検索画面の一例を示す図である。
検索画面６００は、紙幣を検索する画面の一例である。紙幣の調査を担当する係員は、検索画面６００を用いて紙幣の検索を実行する。検索画面６００は、ディスプレイ３１４ａに表示される画面である。
【００６５】
検索画面６００は、口座番号、金額、紙幣種別指定、記番号、基準日の入力欄を含む画面である。また、検索画面６００は、検索実行ボタン６０１と終了ボタン６０２とを含む画面である。係員は、入力デバイス３１５ａを介して各入力欄および各ボタンに対する入力操作を行う。
【００６６】
口座番号の入力欄は、紙幣の出金について調査する対象となる口座番号を入力する欄である。たとえば、係員は、振り込め詐欺にあった被害者の口座番号や、犯人に現金を渡す前に出金取引を行った口座番号を口座番号の入力欄に入力する。
【００６７】
金額の入力欄は、検索対象とする金額を入力する欄である。たとえば、係員は、被害金額を入力欄に入力する。
紙幣種別指定の入力欄は、検索対象となる紙幣の種別を選択して入力する欄である。紙幣種別指定の入力欄は、「なし」、「万円券」、「五千円券」、「千円券」の選択項目を含む。紙幣種別指定の項目は、デフォルトで「なし」が選択されている。紙幣種別指定の選択が「なし」である場合、全ての種類の紙幣が検索対象となる。紙幣種別指定の選択が「万円券」である場合、一万円札が検索対象となる。紙幣種別指定の選択が「五千円券」である場合、五千円札が検索対象となる。紙幣種別指定の選択が「千円券」である場合、千円札が検索対象となる。なお、紙幣種別指定において、複数種類を指定することも可能である。
【００６８】
記番号の入力欄は、検索対象とする紙幣に付与された記番号を入力する欄である。係員は、検索対象とする紙幣に付与された記番号（たとえば、被害者の手元に残存している紙幣に付与された記番号）を入力する。なお、記番号の入力は必須の項目ではない。
【００６９】
基準日の入力欄は、検索対象とする年月日を入力する欄である。たとえば、係員は、被害者が犯人に現金を渡した日付を入力する。なお、基準日の入力は必須の項目ではない。基準日が入力されなかった場合、検索を実行した年月日が基準日として扱われる。
【００７０】
たとえば、検索画面６００は、口座番号に「５０００１」、金額に「３００００」、紙幣種別指定に「なし」を入力し、記番号および基準日に入力がない画面の一例である。これは、口座番号が「５０００１」の口座について、「３万円」の金額を検索対象とし、全種類の紙幣（紙幣種別の指定「なし」）について取引履歴管理情報５００を検索することを示している。
【００７１】
検索実行ボタン６０１は、検索処理を実行するボタンである。係員は、検索実行ボタン６０１を押下することにより、ホスト３００に検索処理を実行させる。終了ボタン６０２は、検索を終了するボタンである。係員は、終了ボタン６０２を押下することにより、ホスト３００に検索処理を終了させる。検索処理は、ホスト３００が検索条件に基づいて取引履歴管理情報５００から取引履歴情報を抽出する処理である。なお、検索処理については、後で図１２〜図１５を用いて説明する。
【００７２】
次に、第２の実施形態の結果表示画面の一例について図７を用いて説明する。図７は、第２の実施形態の結果表示画面の一例を示す図である（その１）。
結果表示画面６５０は、検索処理の実行結果を表示した画面である。結果表示画面６５０は、検索画面６００において検索実行ボタン６０１が押下された後、ディスプレイ３１４ａに表示される画面である。
【００７３】
結果表示画面６５０は、検索条件、検索結果６５１、印刷ボタン６５２および終了ボタン６５３を含む。
結果表示画面６５０は、検索画面６００において検索条件として口座番号に「５０００１」、金額に「３００００」、紙幣種別指定に「なし」が入力され、記番号および基準日に入力がない状態で検索が実行された結果を表示した画面である。
【００７４】
検索結果６５１は、記番号、取引日時、紙幣種別、評価区分の項目を含む。記番号の項目には、検索処理の結果として抽出された紙幣に付与された記番号が表示される。取引日時の項目には、検索処理の結果として抽出された紙幣が出金された日時が表示される。紙幣種別の項目には、検索処理の結果として抽出された紙幣の紙幣種別が表示される。評価区分の項目には、検索処理の結果として抽出された紙幣について「高」、「中」、「低」のいずれかに評価した区分が表示される。評価区分として、取引日時、紙幣種別等に基づき、犯人に渡った可能性が高い紙幣について「高」、中程度の可能性の紙幣について「中」、可能性が低い紙幣について「低」が付与される。なお、これらの評価区分は一例に過ぎず、その他の条件に基づいて評価区分を付与してもよい。
【００７５】
検索結果６５１には、口座番号が「５０００１」の口座について、検索日から過去の取引日時に遡り、金額が「３００００」に達する現金が出金された取引の情報が表示される。また、検索条件において紙幣種別指定が「なし」であるため、全ての紙幣種別についての検索処理の結果が表示される。なお、検索条件に該当するデータが存在しない場合、検索結果６５１には、「該当データ無し」の旨が表示される。
【００７６】
次に、第２の実施形態の結果表示画面の一例について図８を用いて説明する。図８は、第２の実施形態の結果表示画面の一例を示す図である（その２）。
結果表示画面６６０は、結果表示画面６５０と異なる検索条件で検索処理を実行した結果を表示した画面である。なお、結果表示画面６６０の説明において、結果表示画面６５０と同一のものについて説明を適宜省略する。
【００７７】
結果表示画面６６０は、検索画面６００において検索条件として口座番号に「５０００１」、金額に「３００００」、紙幣種別指定に「万円券」が入力され、記番号および基準日に入力がない状態で検索が実行された結果を表示した画面である。
【００７８】
検索結果６６１には、口座番号が「５０００１」の口座について、検索日から過去の取引日時に遡り、金額が「３００００」に達する現金が出金された取引の情報が表示される。また、検索条件において紙幣種別指定が「万円券」であるため、紙幣種別が一万円札についての検索処理の結果が表示される。
【００７９】
次に、第２の実施形態の結果表示画面の一例について図９を用いて説明する。図９は、第２の実施形態の結果表示画面の一例を示す図である（その３）。
結果表示画面６７０は、結果表示画面６５０と異なる検索条件で検索処理を実行した結果を表示した画面である。なお、結果表示画面６７０の説明において、結果表示画面６５０と同一のものについて説明を適宜省略する。
【００８０】
結果表示画面６７０は、検索画面６００において検索条件として口座番号に「５０００１」、金額に「５００００」、紙幣種別指定に「なし」、記番号に「ＦＢ１２３４５６Ｒ」が入力され、基準日に入力がない状態で検索が実行された結果を表示した画面である。ここで、検索条件に入力された記番号が付与された紙幣を特定紙幣と記載する。
【００８１】
検索結果６７１には、口座番号が「５０００１」の口座について、特定紙幣の取引日時から検索日までの期間の取引の情報と、特定紙幣の取引日時から過去の取引日時とに遡り金額が「５００００」に達する現金が出金された取引の情報とが表示される。特定紙幣と同日（２０１７／９／１  １０：１０：００）に取引された紙幣については評価区分「高」が表示される。なお、特定紙幣については、評価区分「高（特定紙幣）」と表示される。また、特定紙幣に関するデータについては、強調表示（たとえば、データエントリの枠を太く表示、表示色を他の色と異なる色で表示、他の文字と異なる文字フォントで表示等）することができる。また、特定紙幣の取引日時から検索日（基準日）までの期間に取引された紙幣については評価区分「中」が表示され、特定紙幣の取引日時から過去に取引された紙幣については評価区分「低」が表示される。検索条件において紙幣種別指定が「なし」であるため、全ての紙幣種別についての検索処理の結果が表示される。
【００８２】
次に、第２の実施形態の結果表示画面の一例について図１０を用いて説明する。図１０は、第２の実施形態の結果表示画面の一例を示す図である（その４）。
結果表示画面６８０は、結果表示画面６５０と異なる検索条件で検索処理を実行した結果を表示した画面である。なお、結果表示画面６８０の説明において、結果表示画面６５０と同一のものについて説明を適宜省略する。
【００８３】
結果表示画面６８０は、検索画面６００において検索条件として口座番号に「５０００１」、金額に「５００００」、紙幣種別指定に「万円券」、記番号に「ＦＢ１２３４５６Ｒ」が入力され、基準日に入力がない状態で検索が実行された結果を表示した画面である。結果表示画面６８０における検索条件は、紙幣種別指定のみ結果表示画面６５０における検索条件と異なるが、その他の検索条件は同様であるため説明を省略する。
【００８４】
検索結果６８１は、検索条件において紙幣種別指定が「万円券」であるため、一万円札の紙幣種別についての検索処理の結果が表示される。
次に、第２の実施形態のホストが実行する履歴情報収集処理について図１１を用いて説明する。図１１は、第２の実施形態の履歴情報収集処理のフローチャートを示す図である。
【００８５】
履歴情報収集処理は、ホスト３００がＡＴＭ１００から取引履歴情報を収集し記録する処理である。ホスト３００の制御部３１０（プロセッサ３１１）は、ＡＴＭ１００から取引履歴情報を受信し、履歴情報収集処理を実行する。
【００８６】
［ステップＳ１１］制御部３１０は、ＡＴＭ１００から取引履歴情報を受信する。
［ステップＳ１２］制御部３１０は、受信した取引履歴情報を取引履歴管理情報５００に記録し、ステップＳ１１にもどる。
【００８７】
なお、ＡＴＭ１００は、顧客から指示された取引を１件ごとにホスト３００に取引履歴情報を送信してもよいし、所定期日（たとえば、１日１回）でＡＴＭ１００に蓄積した取引履歴情報を送信してもよいし、その他の方法で取引履歴情報を送信してもよい。
【００８８】
次に、第２の実施形態のホストが実行する検索処理について図１２を用いて説明する。図１２は、第２の実施形態の検索処理のフローチャートを示す図である。
検索処理は、紙幣について検索条件の入力を受け付け、検索を実行し、検索結果を表示する処理である。ホスト３００の制御部３１０（プロセッサ３１１）は、検索条件の入力を受け付け、検索処理を実行する。
【００８９】
［ステップＳ２１］制御部３１０は、検索条件の入力を受け付ける。係員は、ディスプレイ３１４ａに表示された検索画面６００を確認し、入力デバイス３１５ａを介して検索条件を入力する。
【００９０】
検索条件には、口座番号、金額、紙幣種別指定、記番号、基準日の項目が含まれる。検索条件として、口座番号および金額を受け付ける。なお、紙幣種別指定、記番号および基準日の項目は、必須の入力項目ではない。紙幣種別指定については、入力が無い場合、検索画面６００において「なし」が選択されたものとする。基準日については、入力が無い場合、検索処理が実行された日付（年月日）を基準日として扱う。
【００９１】
［ステップＳ２２］制御部３１０は、ステップＳ２１で受け付けた検索条件のうち、記番号の入力が有るか否かを判定する。制御部３１０は、記番号の入力が無い場合にステップＳ２３にすすみ、記番号の入力が有る場合にステップＳ２４にすすむ。
【００９２】
［ステップＳ２３］制御部３１０は、基準日検索処理を実行する。基準日検索処理は、取引履歴管理情報５００から検索条件として入力された各項目に該当するデータおよび検索基準日（または検索日）以前のデータを抽出し、検索結果を求める処理である。基準日検索処理は、後で図１３を用いて説明する。
【００９３】
［ステップＳ２４］制御部３１０は、記番号検索処理を実行する。記番号検索処理は、取引履歴管理情報５００から検索条件として入力された各項目に該当するデータおよび特定紙幣の取引日の前後のデータを抽出し、検索結果を求める処理である。記番号検索処理は、後で図１４および図１５を用いて説明する。
【００９４】
［ステップＳ２５］制御部３１０は、検索結果をディスプレイ３１４ａに表示し、処理を終了する。なお、結果表示画面６５０，６６０，６７０，６８０は、制御部３１０が検索結果をディスプレイ３１４ａに表示した一例に過ぎず、その他の表示画面であってもよい。
【００９５】
次に、第２の実施形態のホストが実行する基準日検索処理について図１３を用いて説明する。図１３は、第２の実施形態の基準日検索処理のフローチャートを示す図である。
基準日検索処理は、取引履歴管理情報５００から検索条件として入力された各項目に該当するデータおよび基準日（または検索処理を実行した年月日）以前のデータを抽出し、検索結果を求める処理である。基準日検索処理は、検索処理のステップＳ２３で制御部３１０（プロセッサ３１１）が実行する処理である。
【００９６】
［ステップＳ３１］制御部３１０は、取引履歴管理情報５００を記憶部から読み出す。
［ステップＳ３２］制御部３１０は、ステップＳ２１で受け付けた検索条件に含まれる口座番号に該当するデータが取引履歴管理情報５００に有るか否かを判定する。制御部３１０は、受け付けた口座番号に該当するデータが有る場合にステップＳ３３にすすみ、該当するデータが無い場合にステップＳ４１にすすむ。
【００９７】
［ステップＳ３３］制御部３１０は、取引履歴管理情報５００から口座番号に該当するデータを抽出する。たとえば、検索条件として受け付けた口座番号が「５０００１」である場合、制御部３１０は、取引履歴管理情報５００から口座番号が「５０００１」の取引履歴情報を抽出する。
【００９８】
［ステップＳ３４］制御部３１０は、ステップＳ３３で抽出したデータについて基準日以前の取引に該当するデータが有るか否かを判定する。制御部３１０は、基準日以前の取引に該当するデータが有る場合にステップＳ３５にすすみ、無い場合にステップＳ４１にすすむ。
【００９９】
［ステップＳ３５］制御部３１０は、ステップＳ３３で抽出したデータから、基準日以前の取引に該当するデータを抽出する。
［ステップＳ３６］制御部３１０は、ステップＳ２１で受け付けた検索条件において紙幣種別指定が有るか否かを判定する。制御部３１０は、紙幣種別指定が有る場合にステップＳ３７にすすみ、無い場合にステップＳ３９にすすむ。
【０１００】
［ステップＳ３７］制御部３１０は、ステップＳ３５で抽出したデータから、指定された紙幣種別を含む取引種別「出金」について基準日から過去に遡り検索条件で指定された金額に達するまでデータを抽出する。
【０１０１】
たとえば、検索条件として、金額に「３００００」、紙幣種別指定に「万円券」、基準日に入力なし（検索日が２０１７年１０月２日）、が入力された場合について説明する。基準日には日時の入力が無いため、検索日を基準日として扱うものとする。制御部３１０は、ステップＳ３５で抽出したデータから、「万円券」を含む取引種別「出金」のデータについて、２０１７年１０月２日から過去に遡り、検索条件で指定された金額（３万円）に達するまでデータを抽出する。
【０１０２】
ここで、制御部３１０が、検索条件で指定された金額（３万円）に達するまでデータを抽出する方法について、検索結果６６１において表示された情報（記番号、取引日時、紙幣種別）を用いて説明する。
【０１０３】
まず、制御部３１０は、基準日から過去１回目の取引に遡りデータを抽出する。過去１回目の取引は、取引日時が２０１７年１０月１日１４時１４分００秒、１万円札が１枚（記番号：ＡＢ１２３４５６Ｋ）の取引であり、取引金額が１万円である。指定された金額３万円に未達であるため、制御部３１０は、更に過去の取引に遡りデータを抽出する。
【０１０４】
次に、制御部３１０は、基準日から過去２回目の取引に遡りデータを抽出する。過去２回目の取引は、取引日時が２０１７年９月１日１０時１０分００秒、１万円札が３枚（記番号：ＦＢ１２３４５６Ｒ，ＦＣ１２３４５６Ｓ，ＦＤ１２３４５６Ｔ）の取引であり、取引金額が３万円である。過去１回目の取引金額（１万円）と過去２回目の取引金額（３万円）の合計金額（４万円）が、検索条件で指定された金額（３万円）に達するため、制御部３１０が抽出するデータは過去２回分の取引のデータとなる。
【０１０５】
［ステップＳ３８］制御部３１０は、ステップＳ３７で抽出したデータに評価区分「高」を付与し、検索結果として記憶部に記録し、処理を終了する。検索結果は、抽出したデータ（記番号、取引日時、紙幣種別）に評価区分が付与されたデータである。なお、検索結果６６１が、ステップＳ３８で記録された検索結果を表示した一例である。
【０１０６】
［ステップＳ３９］制御部３１０は、ステップＳ３５で抽出したデータから、基準日から過去に遡り検索条件で指定された金額に達するまでデータを抽出する。なお、データを抽出する方法は、ステップＳ３７とほぼ同様であるため説明を省略する。
【０１０７】
［ステップＳ４０］制御部３１０は、ステップＳ３９で抽出したデータに評価区分「高」を付与し、検索結果として記憶部に記録し、処理を終了する。なお、検索結果６５１が、ステップＳ４０で記録された検索結果を表示した一例である。
【０１０８】
［ステップＳ４１］制御部３１０は、該当データ無しの旨を検索結果に記録し、処理を終了する。
次に、第２の実施形態のホストが実行する記番号検索処理について図１４および図１５を用いて説明する。図１４は、第２の実施形態の記番号検索処理のフローチャートを示す図である（その１）。図１５は、第２の実施形態の記番号検索処理のフローチャートを示す図である（その２）。
【０１０９】
記番号検索処理は、取引履歴管理情報５００から検索条件として入力された各項目に該当するデータおよび特定紙幣の取引日の前後のデータを抽出し、検索結果を求める処理である。記番号検索処理は、検索処理のステップＳ２４で制御部３１０（プロセッサ３１１）が実行する処理である。
【０１１０】
［ステップＳ５１］制御部３１０は、取引履歴管理情報５００を記憶部から読み出す。
［ステップＳ５２］制御部３１０は、ステップＳ２１で受け付けた検索条件に含まれる口座番号に該当するデータが取引履歴管理情報５００に有るか否かを判定する。制御部３１０は、受け付けた口座番号に該当するデータが有る場合にステップＳ５３にすすみ、該当するデータが無い場合にステップＳ６８にすすむ。
【０１１１】
［ステップＳ５３］制御部３１０は、取引履歴管理情報５００から口座番号に該当するデータを抽出する。
［ステップＳ５４］制御部３１０は、ステップＳ５３で抽出したデータについて、検索条件で指定された記番号が付与された紙幣が取引されたデータが有るか否かを判定する。制御部３１０は、該当するデータが有る場合にステップＳ５５にすすみ、無い場合にステップＳ６８にすすむ。
【０１１２】
［ステップＳ５５］制御部３１０は、検索条件で指定された記番号が付与された紙幣（特定紙幣）の取引日を特定日とする。
［ステップＳ５６］制御部３１０は、ステップＳ５３で抽出したデータから、特定紙幣が取引されたデータを抽出する。
【０１１３】
［ステップＳ５７］制御部３１０は、ステップＳ２１で受け付けた検索条件において紙幣種別指定が有るか否かを判定する。制御部３１０は、紙幣種別指定が有る場合にステップＳ５８にすすみ、無い場合にステップＳ６０にすすむ。
【０１１４】
［ステップＳ５８］制御部３１０は、ステップＳ５３で抽出したデータから、指定された紙幣種別を含む取引種別「出金」について基準日から特定日に遡りデータを抽出する。
ここで、制御部３１０が、ステップＳ５８においてデータを抽出する方法について、検索結果６８１において表示された情報（記番号、取引日時、紙幣種別）を用いて説明する。検索条件として、金額に「５００００」、紙幣種別指定に「万円券」、基準日に入力なし（検索日が２０１７年１０月２日）、が入力されたものとする。基準日には日時の入力が無いため、検索日を基準日として扱うものとする。また、検索条件として指定された記番号がＦＢ１２３４５６Ｒであり、特定日が２０１７年９月１日であるものとする。
【０１１５】
制御部３１０は、ステップＳ５３で抽出したデータから、「万円券」を含む取引種別「出金」のデータについて、２０１７年１０月２日（基準日）から２０１７年９月１日（特定日）に遡りデータを抽出する。具体的には、制御部３１０は、取引日時が２０１７年１０月１日１４時１４分００秒のデータと、取引日時が２０１７年９月１日１０時１０分００秒のデータとを抽出する。
【０１１６】
［ステップＳ５９］制御部３１０は、ステップＳ５３で抽出したデータから、指定された紙幣種別を含む取引種別「出金」について特定日から過去に遡り検索条件で指定された金額に達するまでデータを抽出し、ステップＳ６２にすすむ。
【０１１７】
ここで、制御部３１０が、ステップＳ５８においてデータを抽出する方法について、検索結果６８１において表示された情報（記番号、取引日時、紙幣種別）を用いて説明する。また、検索条件として指定された記番号がＦＢ１２３４５６Ｒであり、特定日が２０１７年９月１日であるものとする。
【０１１８】
まず、制御部３１０は、特定日から過去１回目の取引に遡りデータを抽出する。過去１回目の取引は、取引日時が２０１７年８月１日８時８分００秒、１万円札が３枚（記番号：ＧＣ１２３４５６Ｓ，ＨＤ１２３４５６Ｔ，ＩＤ１２３４５６Ｔ）の取引であり、取引金額が３万円である。
【０１１９】
基準日から特定日までの取引金額（４万円）と特定日から過去１回目の取引金額（３万円）の合計金額（７万円）が、検索条件で指定された金額（５万円）に達するため、制御部３１０がステップＳ５９で抽出するデータは過去１回分の取引のデータとなる。
【０１２０】
［ステップＳ６０］制御部３１０は、ステップＳ５３で抽出したデータから、取引種別「出金」について基準日から特定日に遡りデータを抽出する。なお、データを抽出する方法は、紙幣種別の指定を除きステップＳ５８とほぼ同様であるため説明を省略する。
【０１２１】
［ステップＳ６１］制御部３１０は、ステップＳ５３で抽出したデータから、特定日から過去に遡り検索条件で指定された金額に達するまでデータを抽出し、ステップＳ６５にすすむ。なお、データを抽出する方法は、紙幣種別の指定を除きステップＳ５９とほぼ同様であるため説明を省略する。
【０１２２】
［ステップＳ６２］制御部３１０は、ステップＳ５６で抽出した特定日のデータに評価区分「高」を付与し、検索結果として記憶部に記録する。なお、特定紙幣のデータについては、評価区分に「高（特定紙幣）」を付与する。
【０１２３】
［ステップＳ６３］制御部３１０は、ステップＳ５８で抽出したデータに評価区分「中」を付与し、検索結果として記憶部に記録する。
［ステップＳ６４］制御部３１０は、ステップＳ５９で抽出したデータに評価区分「低」を付与し、検索結果として記憶部に記録し、処理を終了する。検索結果は、抽出したデータ（記番号、取引日時、紙幣種別）に評価区分が付与されたデータである。なお、検索結果６８１が、ステップＳ６４で記録された検索結果を表示した一例である。
【０１２４】
［ステップＳ６５］制御部３１０は、ステップＳ５６で抽出した特定日のデータに評価区分「高」を付与し、検索結果として記憶部に記録する。なお、特定紙幣のデータについては、評価区分に「高（特定紙幣）」を付与する。
【０１２５】
［ステップＳ６６］制御部３１０は、ステップＳ６０で抽出したデータに評価区分「中」を付与し、検索結果として記憶部に記録する。
［ステップＳ６７］制御部３１０は、ステップＳ６１で抽出したデータに評価区分「低」を付与し、検索結果として記憶部に記録し、処理を終了する。検索結果は、抽出したデータ（記番号、取引日時、紙幣種別）に評価区分が付与されたデータである。なお、検索結果６７１が、ステップＳ６７で記録された検索結果を表示した一例である。
【０１２６】
［ステップＳ６８］制御部３１０は、該当データ無しの旨を検索結果に記録し、処理を終了する。
こうして、情報処理システム２００およびホスト３００は、犯人に渡された可能性のある紙幣の情報を提示することができる。係員は、提示された記番号に基づき、捜査を行うことができる。また、係員は、記番号ごとに付与された評価区分を参照し、犯人に渡された可能性の高い紙幣から順に捜査を行うこともできる。
【０１２７】
なお、上記の処理機能は、コンピュータによって実現することができる。その場合、自動取引装置１０、ＡＴＭ１００、情報処理装置２０およびホスト３００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ（Compact Disc Read Only Memory）／ＲＷ（ReWritable）等がある。光磁気記録媒体には、ＭＯ（Magneto-Optical disk）等がある。
【０１２８】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１２９】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０１３０】
また、上記の処理機能の少なくとも一部を、ＤＳＰ、ＡＳＩＣ、ＰＬＤ等の電子回路で実現することもできる。
【符号の説明】
【０１３１】
１０  自動取引装置
１１，２１  制御部
１２  媒体処理部
１３  表示受付部
１４，２２  記憶部
１５  紙幣読取部
２０  情報処理装置
２３  表示部
３１  検索画面
３２  結果表示画面
【図１】
2019101905.tif 000003
【図２】
2019101905.tif 000004
【図３】
2019101905.tif 000005
【図４】
2019101905.tif 000006
【図５】
2019101905.tif 000007
【図６】
2019101905.tif 000008
【図７】
2019101905.tif 000009
【図８】
2019101905.tif 000010
【図９】
2019101905.tif 000011
【図１０】
2019101905.tif 000012
【図１１】
2019101905.tif 000013
【図１２】
2019101905.tif 000014
【図１３】
2019101905.tif 000015
【図１４】
2019101905.tif 000016
【図１５】
2019101905.tif 000017